【事件の表示】
　特許第３０９８６４３号「画像記録方法及び装置及びその記録物及び加工品」の請求項１ないし１１、１３、１４に係る特許に対する特許異議の申立てについて、次のとおり決定する。
【結　論】
　訂正を認める。
　特許第３０９８６４３号の請求項１ないし１１、１３ないし１４に係る特許を取り消す。
【理　由】
１．手続の経緯
　本件特許第３０９８６４３号の請求項１ないし請求項１４に係る発明は、平成５年２月１８日（優先権主張　平成４年２月２６日）に特許出願され、平成１２年８月１１日にその特許の設定登録がなされ、その後、請求項１ないし請求項１１及び請求項１３、請求項１４に係る発明の特許についてコニカ株式会社より特許異議の申立てがなされ、取消理由通知がなされ、その指定期間内である平成１３年１２月４日に訂正請求がなされ、さらに特許異議申立人に対して審尋がなされ、平成１４年１０月１５日に回答書が提出されたものである。
　
２．訂正の適否についての判断
　ア．特許権者が求めている訂正の内容は、次のとおりである。
　訂正事項ａ：特許請求の範囲の請求項１を、
　「【請求項１】
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数として複数の異なる回数のうちのいずれかを設定する設定手段とを備え、
　前記設定された主走査の回数が多いほど１回の主走査で前記領域を記録する画像データの量を少なくすることを特徴とする画像記録装置。」と訂正する。
　訂正事項ｂ：特許請求の範囲の請求項２を、
　「【請求項２】
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御手段によって行われる前記領域に対する前記主走査の回数として複数の異なる回数のうちのいずれかを設定する設定手段とを備え、
　前記設定された主走査の回数が多いほど１回の主走査で前記同じ領域を記録する画像データの量を少なくすることを特徴とする画像記録装置。」と訂正する。
　訂正事項ｃ：特許請求の範囲の請求項３を、
　「【請求項３】
同じ色に対応した
　前記記録ヘッドにより記録された画像を読み取る読取手段と、
　前記読取手段により読み取られた画像データに応じて前記記録ヘッドによる走査回数を決定する決定手段と、
　前記決定手段により決定された回数だけ、前記記録ヘッドに前記記録媒体の同じ記録領域を主走査させて、
前記同じ記録領域である
を
同じ色に対応した複数の異なる記録素子により
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。」と訂正する。
　訂正事項ｄ：特許請求の範囲の請求項６を、
　「【請求項６】
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。」と訂正する。
　訂正事項ｅ：特許請求の範囲の請求項７を、
　「【請求項７】
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。」と訂正する。
　訂正事項ｆ：特許請求の範囲の請求項１３を、
　「【請求項１３】
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録装置。」と訂正する。
　訂正事項ｇ：特許請求の範囲の請求項１４を、
　「【請求項１４】
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録方法。」と訂正する。
　訂正事項ｈ：明細書の段落【００１０】〜【００１１】及び【００１３】を以下のとおり訂正する。
　「【００１０】
　【課題を解決するための手段】
　上記目的を達成するために本発明の画像記録装置は以下のような構成を備える。即ち、
同じ色に対応した
同じ色に対応した
同じ色に対応した
同じ色に対応した
同じ色に対応した
同じ色に対応した
　【００１１】上記目的を達成するために本発明の画像記録方法は以下のような工程を備える。即ち、
同じ色に対応した
同じ色に対応した
同じ色に対応した
同じ色に対応した
同じ色に対応した
同じ色に対応した
　【００１３】
　【作用】以上の構成において、記録媒体に対して
同じ色に対応した
同じ色に対応した
　
　イ．訂正の目的の適否、新規事項の有無及び拡張・変更の存否
　訂正事項ａおよび訂正事項ｂ、訂正事項ｄ乃至訂正事項ｇは、願書に添付した明細書又は図面に記載した事項（特に、特許掲載公報段落【００１８】〜【００２５】、【００４９】および図３）の範囲内で、複数の記録素子が「同じ色に対応した」ものであること、即ち単色での記録を行う場合であることに技術的に限定するものであり、特許請求の範囲の減縮を目的とするものである。
　訂正事項ｃは、願書に添付した明細書又は図面に記載した事項（特に、特許掲載公報段落【００１８】〜【００２５】、【００２８】、【００２９】、【００３８】、【００４９】および図３）の範囲内で、複数の記録素子が「同じ色に対応した」ものであること、即ち単色での記録を行う場合であることに技術的に限定するものであり、特許請求の範囲の減縮を目的とするものである。
　さらに、訂正事項ｈは、訂正事項ａ乃至訂正事項ｇに伴い、発明の詳細な説明の記載を、各請求項の記載との整合を図るべく訂正するものであり、明瞭でない記載の釈明を目的とするものである。
　そして、上記訂正は、いずれも新規事項の追加に該当せず、実質的に特許請求の範囲を拡張又は変更するものではない。
　
　ウ．むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　ア．申立ての理由の概要
　特許異議申立人コニカ株式会社は、甲第１号証（特開平１−２８５３６０号公報）、甲第２号証（特開昭６３−３１９１５８号公報）、甲第３号証（特開平３−２１８８５２号公報）、甲第４号証（特開平１−２８１９４４号公報）、甲第５号証（特開平３−１４２２５２号公報）、甲第６号証（特開平３−２０５１７９号公報）を提示し、訂正前の請求項１ないし請求項１１及び請求項１３、請求項１４に係る発明は、甲第１号証ないし甲第６号証に記載された発明に基づき当業者が容易に発明をすることができたものであり、特許法第２９条第２項の規定により、特許を受けることができないものであるから、特許を取り消すべきと主張している。
　
　イ．本件の請求項１ないし請求項１１及び請求項１３、請求項１４に係る発明
　上記２．で示したように上記訂正が認められるから、本件の請求項１ないし請求項１１及び請求項１３、請求項１４に係る発明（以下、それぞれ「本件発明１」ないし「本件発明１１」及び「本件発明１３」、「本件発明１４」という。）は、上記訂正請求に係る訂正明細書の特許請求の範囲の請求項１ないし請求項１１及び請求項１３、請求項１４に記載された次のとおりのものである。
　「【請求項１】同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　前記記録制御手段によって行われる前記領域に対する前記主走査の回数として複数の異なる回数のうちのいずれかを設定する設定手段とを備え、
　前記設定された主走査の回数が多いほど１回の主走査で前記領域を記録する画像データの量を少なくすることを特徴とする画像記録装置。
　【請求項２】同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　記録する画像データに応じて、前記記録制御手段によって行われる前記領域に対する前記主走査の回数として複数の異なる回数のうちのいずれかを設定する設定手段とを備え、
　前記設定された主走査の回数が多いほど１回の主走査で前記同じ領域を記録する画像データの量を少なくすることを特徴とする画像記録装置。
　【請求項３】同じ色に対応した複数の記録素子を配列してなる記録ヘッドを前記配列方向とは異なる方向に記録媒体に対して相対的に主走査して記録媒体に画像を記録する画像記録装置であって、
　前記記録ヘッドにより記録された画像を読み取る読取手段と、
　前記読取手段により読み取られた画像データに応じて前記記録ヘッドによる走査回数を決定する決定手段と、
　前記決定手段により決定された回数だけ、前記記録ヘッドに前記記録媒体の同じ記録領域を主走査させて、前記同じ記録領域である１画素を複数回の主走査で同じ色に対応した複数の異なる記録素子により記録を行わせる主走査手段と、
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。
　【請求項４】前記記録ヘッドはインクを吐出して記録を行うインクジェット記録ヘッドであることを特徴とする請求項１乃至３のいずれか１項に記載の画像記録装置。
　【請求項５】前記記録ヘッドは熱エネルギーを利用してインクを吐出する記録ヘッドであって、インクに与える熱エネルギーを発生するための熱エネルギー発生体を備えていることを特徴とする請求項４に記載の画像記録装置。
　【請求項６】同じ色に対応した複数の記録素子を配列してなる記録ヘッドを前記配列方向とは異なる方向に記録媒体に対して相対的に主走査して記録媒体に画像を記録する画像記録方法であって、
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御工程と、
　前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。
　【請求項７】同じ色に対応した複数の記録素子を配列してなる記録ヘッドを前記配列方向とは異なる方向に記録媒体に対して相対的に主走査して記録媒体に画像を記録する画像記録方法であって、
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御工程と、
　記録する画像データに応じて、前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。
　【請求項８】前記記録媒体に付与されたインクを前記記録媒体に定着させる定着工程を更に含むことを特徴とする請求項６または７に記載の画像記録方法。
　【請求項９】前記定着工程の後に、記録を行った記録媒体を洗浄処理する洗浄工程を更に含むことを特徴とする請求項８に記載の画像記録方法。
　【請求項１０】前記記録媒体に記録を行う前に前記記録媒体に前処理剤を含有させる工程を更に含むことを特徴とする請求項６または７に記載の画像記録方法。
　【請求項１１】前記記録媒体は布帛であることを特徴とする請求項６乃至１０のいずれか１項に記載の画像記録方法。
　【請求項１３】同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段とを備え、
　前記記録制御手段によって行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録装置。
　【請求項１４】同じ色に対応した複数の記録素子を配列してなる記録ヘッドを前記配列方向とは異なる方向に記録媒体に対して相対的に主走査して記録媒体に画像を記録する画像記録方法であって、
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御工程とを備え、
　前記記録制御工程で行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録方法。」
　
　ウ．刊行物等
　当審が通知した取消理由に引用した刊行物である、刊行物１：特開平１−２８５３６０号公報（特許異議申立人提出の甲第１号証）、刊行物２：特開昭６３−３１９１５８号公報（同甲第２号証）、刊行物３：特開平３−２１８８５２号公報（同甲第３号証）、刊行物４：特開平１−２８１９４４号公報（同甲第４号証）、刊行物５：特開平３−１４２２５２号公報（同甲第５号証）、刊行物６：特開平３−２０５１７９号公報（同甲第６号証）、刊行物７：特開平２−１６５９７８号公報には、それぞれ下記の事項が記載されている。
　［刊行物１］
　ａ．「１）記録液の吐出口を複数配列してなる記録ヘッドを備え、該記録ヘッドを被記録材に対し主走査方向に移動させつつ記録を行う液体噴射記録装置において、前記記録ヘッドを副走査方向に複数配置し、前記記録ヘッドに送る記録情報を選択分配する手段を設けたことを特徴とする液体噴射記録装置。」（特許請求の範囲）。
　ｂ．「第１図は本発明の第１の実施例に係る液体噴射記録装置を示す。ここで、１Ａ〜１Ｃは記録用液体（インク）の吐出口と、吐出口に連通する液路と、液路に配置された吐出エネルギ発生手段としての電気熱変換素子とを含む吐出エレメントを、吐出口が被記録材Ｐの搬送方向ＬＦ（副走査方向）に整列した状態で配列してなる記録ヘッドである。」（第２頁右上欄１１〜１８行）。
　ｃ．「記録ヘッド１Ａ〜１Ｃはそれぞれ、第４図右側部分に示すように、各ノズル３ドット毎に記録を行う。而して、被記録材Ｐを１つの記録ヘッドの吐出口配列ずつ搬送することにより、１領域について３回の記録を行うことによって全記録が完了する。第５図は記録ドットと記録ヘッドとの関係を示し、この図に示すように各記録ヘッドで分散して記録がなされていることがわかる。記録ヘッドの数が多いほど広領域に記録ドットを分散することができ、記録の定着性の向上を図ることができると共に、１ドットライン（１ラスタ）が１つの吐出口で記録されるのではないため、ある吐出口に不吐出が生じても白スジは発生せず、また欠落ドットが目立たないので高品位の記録が達成できる。」（第３頁左上欄１０行〜右上欄５行）。
　ｄ．「両記録ヘッド１Ｄおよび１Ｅは、吐出口配列分の間隔を保って配置してある。そして、最初下段の記録ヘッド１Ｅが記録を行い、２行分遅れて記録ヘッド１Ｄが記録を行う記録領域は、各記録ヘッドの記録が重複しないように主・副両走査方向に１ドットおきにそれぞれの記録ヘッドが担当するようにしてある。」（第３頁右上欄１３〜１９行）。
　ｅ．「なお、本実施例においては記録ヘッドを２段としたが、３段以上としてもよいのは勿論である。」（第３頁右下欄１９行〜第４頁左上欄１行）。
　
　［刊行物２］
　ａ．「（１）シリアルに走査してドットマトリクスで記録媒体上に像形成を行う記録装置において、１回の走査で形成される像域を少なくとも走査方向と略平行な第１と第２の像域に２分する手段と、前記第１の像域を所定ドット毎に記録する手段と、１回の走査終了時、前記走査方向と直交する方向に前記記録媒体を前記第１の像域分移動する手段と、前記第１の像域の前記所定ドット毎に間引かれた非記録部分と前記第２の像域とを所定間隔ドット毎に同時に記録する手段とを備えることを特徴とする記録装置。」（特許請求の範囲、第１項）。
　ｂ．「本発明は・・・１回のキャリッジ走査によっては間欠的な記録を行い、紙送りによって垂直方向の記録位置をずらして、後続のキャリッジ走査により先のキャリッジ走査によって記録しなかった部分を記録することにより、紙送りによる記録のつなぎ目を目だたないようにした記録装置を提供することを目的とする。」（第２頁左下欄５〜１２行）。
　ｃ．「第４図（Ａ）〜（Ｅ）はこのようにして文字“Ａ”をプリントした場合の１例を示す図で、各走査ライン毎に、交互に記録されるドット位置が変更されてプリントされている。第４図（Ａ）は１回の走査終了時の記録状態を示し、第４図（Ｂ）は記録ヘッドが同一ラインを再び走査して記録を行った場合を示している。第４図（Ｃ）は記録ヘッド６の縦方向のドット数の半分（４２で示す）だけ記録紙をフィード後、３回目の走査による記録を行った結果を示している。同様にして、第４図（Ｄ）は４回の走査結果を示している。以上説明した様に本実施例では、１回のキャリッジ走査で１ドットおきに記録を行い、記録ヘッドの半分の紙送りを行った後、先のキャリッジ走査で記録しなかった部分を１つおきに埋めるとともに、同時に次ラインの記録を行うことにより、紙送りによるドットのつなぎ目が１ドットおきとなり、ドットのつなぎ目が目立たなくなる効果がある。」（第４頁右下欄１０行〜第５頁左上欄１４行）。
　
　［刊行物３］
　ａ．「本発明は、・・・走査型インクジェット記録装置および該装置の記録方法に関する。」（第４頁左上欄３〜９行）。
　ｂ．「同一の吐出口により同一画素に複数回記録する構成では、吐出口間の濃度・着弾精度のむらが強調されて画素低下になる場合がある。」（第５頁左上欄７〜９行）。
　ｃ．「１回の走査において記録ヘッドごとの記録領域を分けて順次ヘッド走査を行っているので、第７図に示すように境界部でのにじみが少なくなる。」（第８頁左上欄１２〜１５行）。
　ｄ．「さらに、ひとつのマルチノズルヘッドによって単色記録を行なう場合でも本実施例と同様に、高画質化に効果がある。すなわち、予め、２つのインク滴によって同一の画素が形成されるように、吐出量を小さく設定したヘッドを用いて、ノズルを分割して同一のインクを記録するようにすることにより、ノズル列方向でのインクのつながりによる画像劣化を低減できる。すなわち、本実施例と同様な条件においてドロップレット体積を約半分にして、６．６ｎｌ／ｍｍ２ずつに分けて同色のインクを打ち込むことにより、さらに高画質化達成できる。また、本実施例と同じ吐出量にしておいて、倍の量の同色インクをにじみなく打ち込むことによって、高濃度の記録が可能となる。」（第１１頁右下欄６〜１９行）。
　ｅ．「分割される記録領域の数は任意に設定できるものであり、この設定は第１３図に示した制御構成において、紙送り量および記録ヘッドに供給する記録信号を変化させることによって行う。これにより、インク吸収特性の劣る、例えば普通紙やＯＨＰ用透明フィルムにも対応可能となり、被記録材を多様化できる。なお、普通紙は、インクの発色性が悪いものがあるので、特に単色にインクで記録する場合、濃度アップが必要なことがある。この場合、例えば、Ｋインクの記録ヘッドの吐出口を２分割し、第１７図（Ａ）に示した構成と同様の記録を行う。この時の記録信号を以下に示す。ヘッド走査　１　２　３　・・・　Ｋ（２）領域　０　Ｋ１　Ｋ２　・・・　Ｋ（１）領域　Ｋ１　Ｋ２　Ｋ３　・・・本例によれば、記録モードの多様化による被記録材の多様化が可能となる。また、吐出口間に存在する着弾精度・吐出量等の差による画質劣化は同一の吐出口による重複記録によって強調されてしまうが、吐出口分割使用による重複記録では強調されず、軽減される場合が多い。」（第１２頁左下欄７行〜右下欄９行）。
　ｆ．「４００は、記録媒体の材質（紙または樹脂シートあるいは加工紙、半加工紙インク吸収量の大きいものから普通紙Ａ，Ｂ，Ｃとするような材質の違い；第２１図参照）を自動的に、または手動で検知する手段で、・・・５００は各記録ヘッドの吐出口全数Ｍに対して使用する個数を決定する手段で、本例では全数Ｍの分割割合ｎを決定する。具体的には手段５００は、記録媒体の材質に適した記録ヘッド１，２，３，４の記録に適したグループＧ１〜Ｇ８（Ｇ１〜Ｇ８はそれぞれ８本吐出口をもつグループである）のいずれかを使うかを決定したものである。・・・本発明の効果を利用するためには、ｎは２以上であることが望ましい。割合ｎは半加工紙、普通紙Ａの判別結果でｎ＝２が採用され、前述した実施例の第１７図（Ａ）、（Ｂ）の記録を実行させる。また、普通紙Ｂの判別結果でｎ＝４が採用され、・・・普通紙ＣまたはＯＨＰシートではｎ＝８が採用され、１走査幅が吐出口８本のグループＧ１単位が前記実施例のように実行される。」（第１３頁左下欄１３行〜右下欄１９行）。
　ｇ．「第２１図の操作パネルのように操作者が簡単に本発明記録モードを決定採用することができる構成にしても、本発明の効果は十分得られる。」（第１４頁右上欄４〜６行）。
　ｈ．「本発明は、特にインクジェット記録方式の中でもバブルジェット方式の記録ヘッド、記録装置において優れた効果をもたらすものである。・・・特に、オンデマンド型の場合には、液体（インク）が保持されているシートや液路に対応して配置されている電気熱変換体に、記録情報に対応していて・・・少なくとも１つの駆動信号を印加することによって、電気熱変換体に熱エネルギを発生せしめ、記録ヘッドの熱作用面に膜沸騰を生じさせて、結果的にこの駆動信号に一対一で対応した液体（インク）内の気泡を形成できるので有効である。」（第１４頁右上欄１５行〜左下欄１２行）。
　ｉ．第１７図（Ａ）には、一例として、紙送り量がＬ／２、即ちマルチノズルヘッドのノズルの配列の範囲の幅より小なる量であることが示されている。
　
　［刊行物４］
　ａ．「１）複数の液体噴射記録ヘッドを有する液体噴射記録装置により、複数色の記録を行なう方法において、記録すべきドット構成を複数の群に分割して該群ごとに走査を別々に行ない、該走査を組合わせることにより該ドット構成の記録を行なうことを特徴とする液体噴射記録装置の記録方法。」（特許請求の範囲、第１項）。
　ｂ．「第１図（ａ）には第１図（ｂ）に示す単独色の場合と同じドット密度で混合色（グリーン）を表現する場合について、１画素分のドット構成を示してある。１画素は４個の微少セルから成り、この微少セル１つにドット１つが記録される。」（第２頁右下欄６〜１０行）。
　
　［刊行物５］
　ａ．「インクを各種記録媒体に打ち込むカラーインクジェット記録装置において、前記各種記録媒体への打込みを、線画モードと画像モードに分けると共に、キャリッジの同一ラインでの走査回数を設定手段により設定し、前記走査回数に合わせてインクを分散させて行なうことを特徴とするカラーインクジェット記録装置。」（特許請求の範囲）。
　ｂ．「第４図（ｂ）の５×５のマトリクスの構成から明らかなように、隣接の画素どうしは、Ｒ、Ｇの隣接ドットが最長になる２組のパターンのみで混色を防止できる。単色もＲ、Ｇの位置に記録する。」（第３頁左上欄１１〜１４行）。
　ｃ．「吐出ドットのアナログ変調が余り効かない方式のインクジェット（バブルジェット）では、隣接ドットを最長にして打込むか、あるいはまず隣接ドットを最長になるように打ち込み、次に記録されていない部分をキャリッジ２のリターン時又は２回目のキャリッジ動作により打ち込む。・・・この状態が第６図であり、Ｂ１、Ｃ３、Ｍ５、Ｙ７を第１回目に記録し、２回目にＢ２、Ｃ４、Ｍ６、Ｙ８を記録した例である。このようにキャリッジ２を複数回走査しながら分散してインクを打込むことになり、除々にインクをＯＨＰフィルムに吸収させながら定着させることになる。」（第３頁右上欄８行〜左下欄２行）。
　ｄ．「ＯＨＰフィルム４のインクを吸収する能力によりインクの打込み方法を可変することは安定した記録品位を得るための方法であるが、記録されるパターンがキャラクターや線画等の場合と、ベタプリントを含むイメージや画像データの場合とでは、打込みを変えることも有効な方法である。線画等においては色境界のにじみが殆ど生じない。また、打込み面積が小さいため、定着も容易であり、画像データに対して間引くこともなく高速で打込むことが可能である。」（第３頁左下欄７〜１６行）。
　ｅ．「ＯＨＰフィルム４への打込み方法は、フィルム自体のインク吸収能力あるいは打込む記録パターンにより、最適なモードを選ぶことが望ましい。」（第３頁右下欄８〜１０行）。
　
　［刊行物６］
　ａ．「本発明は、・・・インクジェット用布帛及びそれを用いてなるインクジェット染色法に関するものである。」（第２頁左上欄１７〜１９行）。
　ｂ．「インクジェットにより、インクが付与されて画像が形成された布帛は、次いで、スチーミングまたは加熱雰囲気等の固着処理が施され、最後にアルカリ発生剤や未固着染料を除去するためのソーピング処理および仕上げ処理が施される。」（第５頁右下欄５〜９行）。
　ｃ．「アルカリ化合物水溶液およびアルカリ発生剤水溶液で前処理した布帛にインクジェット処理を行い、次いで下記の方法で、固着、ソーピングを行った。」（第６頁右下欄１７〜２０行）。
　
　［刊行物７］
　ａ．「第１図は本発明の原理構成図である。本発明は、カラー印刷用サーマルプリンタにおける色補償装置において、原画像を保持する第１のフレームメモリ（１１）と、原画像と出力画像の両方を保持する第２のフレームメモリ（１２）と、前記出力画像の濃度を読み取る読取手段（１６）と、前記出力画像の濃度と前記原画像の濃度とからサーマルヘッドに蓄積されるヘッド蓄熱量を推定する推定手段（１３）と、前記推定手段によるヘッド蓄熱量の推定結果に応じて前記フレームメモリに保持された出力画像の値を増減する制御手段（１４）とを具備することを特徴とする。」（第２頁右上欄１９行〜左下欄１０行）。
　
　エ．対比・判断
　（１）まず、本件発明１について検討する。
　刊行物３の記載ｄ、ｅからみて、刊行物３記載の走査型インクジェット記録装置は、ひとつのマルチノズルヘッドによって単色記録を行う場合を考えると、このマルチノズルヘッドの複数のノズルの配列方向と異なる方向に被記録材に対して相対的に主走査して画像を記録する「画像記録装置」（以下、（１）の検討の欄では「刊行物３発明Ａ」という。）であるといえるから、本件発明１でいう「同じ色に対応した複数の記録素子を配列してなる記録ヘッドを前記配列方向とは異なる方向に記録媒体に対して相対的に主走査して記録媒体に画像を記録する画像記録装置」を有する。
　さらに、刊行物３発明Ａは、本件発明１でいう「前記記録媒体に対して前記記録ヘッドを主走査させる主走査手段」を有することは明らかである。
　刊行物３の記載ｃ、ｄ、ｅ、ｉからみて、刊行物３発明Ａは、本件発明１でいう「前記主走査毎に前記記録ヘッドの記録素子の配列の範囲の幅より小なる量だけ前記記録ヘッドと前記記録媒体とを相対的に副走査させる副走査手段」を有する。
　刊行物３の記載ｃ、ｄ、ｅ、ｉからみて、刊行物３発明Ａは、本件発明１でいう「前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段」を有する。
　刊行物３の記載ｅには、「分割される記録領域の数は任意に設定できるものであり、この設定は第１３図に示した制御構成において、紙送り量および記録ヘッドに供給する記録信号を変化させることによって行う。」との記載があることと、刊行物３の記載ｃ、ｄ、ｅ、ｆ、ｇ、ｉからみて、刊行物３発明Ａは、本件発明１でいう「前記記録制御手段によって行われる前記領域に対する前記主走査の回数として複数の異なる回数のうちのいずれかを設定する設定手段」を有する。
　
　したがって、刊行物３の上記記載ａ〜ｉを含む明細書及び図面によると、刊行物３発明Ａは、以下のように認定できる。
　「同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　前記記録制御手段によって行われる前記領域に対する前記主走査の回数として複数の異なる回数のうちのいずれかを設定する設定手段とを備えたことを特徴とする画像記録装置。」
　
　そこで、本件発明１と刊行物３発明Ａとを対比すると、両者は、
　「同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　前記記録制御手段によって行われる前記領域に対する前記主走査の回数として複数の異なる回数のうちのいずれかを設定する設定手段とを備えたことを特徴とする画像記録装置。」である点で一致し、次の点で相違する。
　相違点１：１回の主走査で１つの記録素子で記録可能な記録媒体上の領域を記録する画像データの量について、本件発明１では、「設定された主走査の回数が多いほど１回の主走査で前記領域を記録する画像データの量を少なくする」としているのに対して、刊行物３発明Ａでは、主走査の回数と前記領域を記録する画像データの量の関係が明確でない点。
　
　上記相違点１について検討する。
　刊行物１の記載ａ〜ｅからみて、刊行物１には、１ドットラインに対して複数の異なる記録液の吐出口を対応させるために記録ヘッドの主走査と主走査の間に副走査を介在させて、１ドットラインを複数回の主走査で複数の異なる記録液の吐出口により記録する方法、いわゆるマルチスキャン記録方法が記載されている。
　そして、主走査の回数が例えば２回の時と３回の時とでは、１回の主走査で１ドットラインを記録する画像データの量についてみると、３回の時の方が少なくなるのは当然である。
　してみると、１回の主走査で１つの記録素子で記録可能な記録媒体上の領域を記録する画像データの量について、相違点１の本件発明１の如く構成することは、当業者が容易に想到し得たものである。
　
　したがって、本件発明１は、刊行物３及び刊行物１に記載された発明に基づいて当業者が容易に発明をすることができたものである。
　
　（２）次に、本件発明２について検討する。
　本件発明２は、本件発明１と比較すると、「前記記録制御手段によって行われる前記領域に対する前記主走査の回数として複数の異なる回数のうちのいずれかを設定する設定手段」について、「記録する画像データに応じて、前記記録制御手段によって行われる前記領域に対する前記主走査の回数として複数の異なる回数のうちのいずれかを設定する設定手段」としたものである。
　そして、刊行物３記載の走査型インクジェット記録装置は、ひとつのマルチノズルヘッドによって単色記録を行う場合を考えると、このマルチノズルヘッドの複数のノズルの配列方向と異なる方向に被記録材に対して相対的に主走査して画像を記録する「画像記録装置」（以下、（２）の検討の欄では「刊行物３発明Ｂ」という。）であるといえる。
　また、刊行物３の記載ｃ、ｄ、ｅ、ｆ、ｇ、ｉからみて、刊行物３発明Ｂは、記録媒体の材質を検知して、記録ヘッドによる走査回数を決定しているものである。
　してみると、上記（１）で説示したと同様に、刊行物３発明Ｂは、以下のように認定できる。
「同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　前記記録媒体の材質を検知して、前記記録制御手段によって行われる前記領域に対する前記主走査の回数として複数の異なる回数のうちのいずれかを設定する設定手段とを備えたことを特徴とする画像記録装置。」
　
　そこで、本件発明２と刊行物３発明Ｂとを対比すると、両者は、
　「同じ色に対応した複数の記録素子を配列してなる記録ヘッドを前記配列方向とは異なる方向に記録媒体に対して相対的に主走査して記録媒体に画像を記録する画像記録装置であって、
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて同じ色に対応した複数の異なる記録素子により記録する制御を行い、前記制御を複数の前記領域に対して行う記録制御手段と、
　前記記録制御手段によって行われる前記領域に対する前記主走査の回数として複数の異なる回数のうちのいずれかを設定する設定手段とを備えたことを特徴とする画像記録装置。」である点で一致し、次の点で相違する。
　相違点２：設定手段について、本件発明２では、「記録する画像データに応じて」設定する設定手段だとしているのに対して、刊行物３発明Ｂでは、記録媒体の材質を検知して決定している点。
　相違点３：１回の主走査で１つの記録素子で記録可能な記録媒体上の領域を記録する画像データの量について、本件発明２では、「設定された主走査の回数が多いほど１回の主走査で前記領域を記録する画像データの量を少なくする」としているのに対して、刊行物３発明Ｂでは、主走査の回数と前記領域を記録する画像データの量の関係が明確でない点。
　
　上記相違点２について検討する。
　刊行物５の記載ａ〜ｅによると、刊行物５には線画モードと画像モードによって、キャリッジの同一ラインでの走査回数を設定手段により設定し、前記走査回数に合わせてインクを分散させて印字を行なう点が記載されている。
　してみると、記録媒体の材質を検知して決定することに代えて、相違点２の本件発明２の如く構成することは、当業者が容易に想到し得たものである。
　次に、相違点３について。
　相違点３については、（１）における相違点１の判断と同様にして、１回の主走査で１つの記録素子で記録可能な記録媒体上の領域を記録する画像データの量について、相違点３の本件発明２の如く構成することは、当業者が容易に想到し得たものである。
　
　したがって、本件発明２は、刊行物３、刊行物１および刊行物５に記載された発明に基づいて当業者が容易に発明をすることができたものである。
　
　（３）次に、本件発明３について検討する。
　刊行物３の記載ｄ、ｅからみて、刊行物３記載の走査型インクジェット記録装置は、ひとつのマルチノズルヘッドによって単色記録を行う場合を考えると、このマルチノズルヘッドの複数のノズルの配列方向と異なる方向に被記録材に対して相対的に主走査して画像を記録する「画像記録装置」（以下、（３）の検討の欄では「刊行物３発明Ｃ」という。）であるといえるから、本件発明３でいう「同じ色に対応した複数の記録素子を配列してなる記録ヘッドを前記配列方向とは異なる方向に記録媒体に対して相対的に主走査して記録媒体に画像を記録する画像記録装置」を有する。
　刊行物３の記載ｅには、「分割される記録領域の数は任意に設定できるものであり、この設定は第１３図に示した制御構成において、紙送り量および記録ヘッドに供給する記録信号を変化させることによって行う。」との記載があることと、刊行物３の記載ｃ、ｄ、ｅ、ｆ、ｇ、ｉからみて、刊行物３発明Ｃは、本件発明３でいう「前記記録ヘッドによる走査回数を決定する決定手段」を有する。
　刊行物３の記載ｃ、ｄ、ｅ、ｉからみて、刊行物３発明Ｃは、本件発明３でいう「前記決定手段により決定された回数だけ、前記記録ヘッドに前記記録媒体の同じ記録領域を主走査させて、前記同じ記録領域である１画素を複数回の主走査で同じ色に対応した複数の異なる記録素子により記録を行わせる主走査手段」を有する。
　刊行物３の記載ｃ、ｄ、ｅ、ｉからみて、刊行物３発明Ｃは、本件発明３でいう「前記主走査毎に前記記録ヘッドの記録素子の配列の範囲の幅より小なる量だけ前記記録ヘッドと前記記録媒体とを相対的に副走査させる副走査手段」を有する。
　また、刊行物３の記載ｃ、ｄ、ｅ、ｆ、ｇ、ｉからみて、刊行物３発明Ｃは、記録媒体の材質を検知して、記録ヘッドによる走査回数を決定しているものである。
　
　したがって、刊行物３の上記記載ａ〜ｉを含む明細書及び図面によると、刊行物３発明Ｃは、以下のように認定できる。
　「同じ色に対応した複数の記録素子を配列してなる記録ヘッドを前記配列方向とは異なる方向に記録媒体に対して相対的に主走査して記録媒体に画像を記録する画像記録装置であって、
　前記記録媒体の材質を検知して、前記記録ヘッドによる走査回数を決定する決定手段と、
　前記決定手段により決定された回数だけ、前記記録ヘッドに前記記録媒体の同じ記録領域を主走査させて、前記同じ記録領域である１画素を複数回の主走査で同じ色に対応した複数の異なる記録素子により記録を行わせる主走査手段と、
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。」
　
　そこで、本件発明３と刊行物３発明Ｃとを対比すると、両者は、
　「同じ色に対応した複数の記録素子を配列してなる記録ヘッドを前記配列方向とは異なる方向に記録媒体に対して相対的に主走査して記録媒体に画像を記録する画像記録装置であって、
　前記記録ヘッドによる走査回数を決定する決定手段と、
　前記決定手段により決定された回数だけ、前記記録ヘッドに前記記録媒体の同じ記録領域を主走査させて、前記同じ記録領域である１画素を複数回の主走査で同じ色に対応した複数の異なる記録素子により記録を行わせる主走査手段と、
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。」である点で一致し、次の点で相違する。
　相違点４：本件発明３が、「前記記録ヘッドにより記録された画像を読み取る読取手段」を備え、「前記読取手段により読み取られた画像データに応じて記録ヘッドによる走査回数を決定」しているのに対して、刊行物３発明Ｃは上記読取手段を備えておらず、記録媒体の材質を検知して、記録ヘッドによる走査回数を決定している点。
　
　そこで、上記相違点４について検討する。
　刊行物７には、プリンタにおいてサーマルヘッド（記録ヘッド）により記録された画像を読み取る読取手段（１６）を備え、読み取られた結果を利用してサーマルヘッド（記録ヘッド）を制御する点が記載されている。
　また、刊行物５の記載ａ〜ｅによると、刊行物５には線画モードと画像モードによって、キャリッジの同一ラインでの走査回数を設定手段により設定し、前記走査回数に合わせてインクを分散させて印字を行なう点が記載されている。
　してみると、刊行物３発明Ｃにおいて、刊行物７および刊行物５に記載された上記技術的事項を単に適用することにより、記録媒体の材質を検知して決定することに代えて、相違点４の本件発明３の如く構成することは、当業者が容易に想到し得たものである。
　
　したがって、本件発明３は、刊行物３、刊行物５および刊行物７に記載された発明に基づいて当業者が容易に発明をすることができたものである。
　
　（４）次に、本件発明４および本件発明５について検討する。
　本件発明４は本件発明１乃至本件発明３をインクジェット記録に限定し、本件発明５は本件発明４の記録ヘッドを熱エネルギーを利用したものに限定するものであるが、刊行物３の記載ｈからみて、刊行物３にはどちらも開示されている。
　
　したがって、本件発明４および本件発明５は、刊行物３、刊行物１、刊行物５および刊行物７に記載された発明に基づいて当業者が容易に発明をすることができたものである。
　
　（５）次に、本件発明６について検討する。
　本件発明６は、カテゴリーが物（装置）の発明である本件発明１を、カテゴリーを方法の発明として把握した発明であるから、上記本件発明１について説示したと同様の理由により、刊行物３及び刊行物１に記載された発明に基づいて当業者が容易に発明をすることができたものである。
　
　（６）次に、本件発明７について検討する。
　本件発明７は、カテゴリーが物（装置）の発明である本件発明２を、カテゴリーを方法の発明として把握した発明であるから、上記本件発明２について説示したと同様の理由により、刊行物３、刊行物１および刊行物５に記載された発明に基づいて当業者が容易に発明をすることができたものである。
　
　（７）次に、本件発明８乃至本件発明１１について検討する。
　本件発明８は本件発明６または本件発明７が定着工程を更に含むことに限定し、本件発明９は本件発明８が洗浄工程を更に含むことに限定し、本件発明１０は本件発明６または本件発明７が前処理剤を含有させる工程を更に含むことに限定し、本件発明１１は本件発明６乃至本件発明１０の記録媒体が布帛であることに限定するものであるが、刊行物６には前記事項はいずれも開示されている。
　
　したがって、本件発明８乃至本件発明１１は、刊行物３、刊行物１、刊行物５および刊行物６に記載された発明に基づいて当業者が容易に発明をすることができたものである。
　
　（８）次に、本件発明１３について検討する。
　本件発明１３を本件発明１と比較すると、両者は、本件発明１では「前記記録制御手段によって行われる前記領域に対する前記主走査の回数として複数の異なる回数のうちのいずれかを設定する設定手段とを備え、」とされている箇所が、本件発明１３では「前記記録制御手段によって行われる前記領域に対する前記主走査の回数は、複数の異なる回数の中から設定されたいずれかの回数であり、」とされている点で相違する。
　しかしながら、刊行物３の記載ｅには、「分割される記録領域の数は任意に設定できるものであり、この設定は第１３図に示した制御構成において、紙送り量および記録ヘッドに供給する記録信号を変化させることによって行う。」との記載があることと、刊行物３の記載ｃ、ｄ、ｅ、ｆ、ｇ、ｉからみて、本件発明１３の上記相違点は、刊行物３に開示されているものである。
　
　したがって、本件発明１３は、上記本件発明１について説示したと同様の理由により、刊行物３及び刊行物１に記載された発明に基づいて当業者が容易に発明をすることができたものである。
　
　（９）次に、本件発明１４について検討する。
　本件発明１４を本件発明６と比較すると、両者は、本件発明６では「前記記録制御工程で行われる前記領域に対する前記主走査の回数として複数の異なる回数のうちのいずれかを設定する設定工程とを備え、」とされている箇所が、本件発明１４では「前記記録制御工程で行われる前記領域に対する前記主走査の回数は、複数の異なる回数の中から設定されたいずれかの回数であり、」とされている点で相違する。
　しかしながら、刊行物３の記載ｅには、「分割される記録領域の数は任意に設定できるものであり、この設定は第１３図に示した制御構成において、紙送り量および記録ヘッドに供給する記録信号を変化させることによって行う。」との記載があることと、刊行物３の記載ｃ、ｄ、ｅ、ｆ、ｇ、ｉからみて、本件発明１４の上記相違点は、刊行物３に開示されているものである。
　
　したがって、本件発明１４は、上記本件発明６について説示したと同様の理由により、刊行物３及び刊行物１に記載された発明に基づいて当業者が容易に発明をすることができたものである。
　
　オ．むすび
　以上のとおりであるから、本件発明１ないし本件発明１１、および本件発明１３、本件発明１４は特許法第２９条第２項の規定により特許を受けることができない。
　したがって、本件発明１ないし本件発明１１、および本件発明１３、本件発明１４の特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第１項及び第２項の規定により、結論のとおり決定する。
【異議決定日】
平成１５年３月１４日（２００３．３．１４）
【訂正の要旨】
　▲１▼訂正事項ａ
　特許請求の範囲の減縮を目的として、特許請求の範囲の請求項１を以下のように訂正する。
「
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数として複数の異なる回数のうちのいずれかを設定する設定手段とを備え、
　前記設定された主走査の回数が多いほど１回の主走査で前記領域を記録する画像データの量を少なくすることを特徴とする画像記録装置。」
　▲２▼訂正事項ｂ
　特許請求の範囲の減縮を目的として、特許請求の範囲の請求項２を以下のように訂正する。
「
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御手段によって行われる前記領域に対する前記主走査の回数として複数の異なる回数のうちのいずれかを設定する設定手段とを備え、
　前記設定された主走査の回数が多いほど１回の主走査で前記同じ領域を記録する画像データの量を少なくすることを特徴とする画像記録装置。」
　▲３▼訂正事項ｃ
　特許請求の範囲の減縮を目的として、特許請求の範囲の請求項３を以下のように訂正する。
「
同じ色に対応した
　前記記録ヘッドにより記録された画像を読み取る読取手段と、
　前記読取手段により読み取られた画像データに応じて前記記録ヘッドによる走査回数を決定する決定手段と、
　前記決定手段により決定された回数だけ、前記記録ヘッドに前記記録媒体の同じ記録領域を主走査させて、
前記同じ記録領域である
を
同じ色に対応した複数の異なる記録素子により
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。」
　▲４▼訂正事項ｄ
　特許請求の範囲の減縮を目的として、特許請求の範囲の請求項６を以下のように訂正する。
「
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。」
　▲５▼訂正事項ｅ
　特許請求の範囲の減縮を目的として、特許請求の範囲の請求項７を以下のように訂正する。
「
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。」
　▲６▼訂正事項ｆ
　特許請求の範囲の減縮を目的として、特許請求の範囲の請求項１３を以下のように訂正する。
「
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録装置。」
　▲７▼訂正事項ｇ
　特許請求の範囲の減縮を目的として、特許請求の範囲の請求項１４を以下のように訂正する。
「
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録方法。」
　▲８▼訂正事項ｈ
　上記請求項の訂正に従って明細書の段落【００１０】〜【００１１】及び【００１３】を以下のとおり訂正する。
「【００１０】
　【課題を解決するための手段】
　上記目的を達成するために本発明の画像記録装置は以下のような構成を備える。即ち、
　
同じ色に対応した
同じ色に対応した
　また上記目的を達成するために本発明の画像記録装置は以下のような構成を備える。即ち、
　
同じ色に対応した
同じ色に対応した
　また更に上記目的を達成するために本発明の画像記録装置は以下のような構成を備える。即ち、
　
同じ色に対応した
同じ色に対応した
　【００１１】
　上記目的を達成するために本発明の画像記録方法は以下のような工程を備える。即ち、
　
同じ色に対応した
同じ色に対応した
　また上記目的を達成するために本発明の画像記録方法は以下のような工程を備える。即ち、
　
同じ色に対応した
同じ色に対応した
　また上記目的を達成するために本発明の画像記録方法は以下のような工程を備える。即ち、
　
同じ色に対応した
同じ色に対応した
　【００１３】
　【作用】
　以上の構成において、記録媒体に対して
同じ色に対応した
同じ色に対応した
（５４）【発明の名称】
画像記録方法及び装置及びその記録物及び加工品
（５７）【特許請求の範囲】
　【請求項１】　
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数として複数の異なる回数のうちのいずれかを設定する設定手段とを備え、
　前記設定された主走査の回数が多いほど１回の主走査で前記領域を記録する画像データの量を少なくすることを特徴とする画像記録装置。
　【請求項２】　
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御手段によって行われる前記領域に対する前記主走査の回数として複数の異なる回数のうちのいずれかを設定する設定手段とを備え、
　前記設定された主走査の回数が多いほど１回の主走査で前記同じ領域を記録する画像データの量を少なくすることを特徴とする画像記録装置。
　【請求項３】　
同じ色に対応した
　前記記録ヘッドにより記録された画像を読み取る読取手段と、
　前記読取手段により読み取られた画像データに応じて前記記録ヘッドによる走査回数を決定する決定手段と、
　前記決定手段により決定された回数だけ、前記記録ヘッドに前記記録媒体の同じ記録領域を主走査させて、
前記同じ記録領域である
を
同じ色に対応した複数の異なる記録素子により
　前記主走査毎に前記記録ヘッドの記録素子の配列の範囲の幅より小なる量だけ前記記録ヘッドと前記記録媒体とを相対的に副走査させる副走査手段と、
を有することを特徴とする画像記録装置。
　【請求項４】　前記記録ヘッドはインクを吐出して記録を行うインクジェット記録ヘッドであることを特徴とする請求項１乃至３のいずれか１項に記載の画像記録装置。
　【請求項５】　前記記録ヘッドは熱エネルギーを利用してインクを吐出する記録ヘッドであって、インクに与える熱エネルギーを発生するための熱エネルギー発生体を備えていることを特徴とする請求項４に記載の画像記録装置。
　【請求項６】　
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。
　【請求項７】　
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　記録する画像データに応じて、前記記録制御工程で行われる前記領域に対する前記主走査の回数として複数の異なる回数のうちのいずれかを設定する設定工程とを備え、
　前記設定された主走査の回数が多いほど１回の主走査で前記領域を記録する画像データの量を少なくすることを特徴とする画像記録方法。
　【請求項８】　前記記録媒体に付与されたインクを前記記録媒体に定着させる定着工程を更に含むことを特徴とする請求項６または７に記載の画像記録方法。
　【請求項９】　前記定着工程の後に、記録を行った記録媒体を洗浄処理する洗浄工程を更に含むことを特徴とする請求項８に記載の画像記録方法。
　【請求項１０】　前記記録媒体に記録を行う前に前記記録媒体に前処理剤を含有させる工程を更に含むことを特徴とする請求項６または７に記載の画像記録方法。
　【請求項１１】　前記記録媒体は布帛であることを特徴とする請求項６乃至１０のいずれか１項に記載の画像記録方法。
　【請求項１２】　前記記録媒体は壁紙であることを特徴とする請求項６乃至１０のいずれか１項に記載の画像記録方法。
　【請求項１３】　
同じ色に対応した
　前記記録媒体に対して前記記録ヘッドを主走査させる主走査手段と、
　前記主走査毎に前記記録ヘッドの記録素子の配列の範囲の幅より小なる量だけ前記記録ヘッドと前記記録媒体とを相対的に副走査させる副走査手段と、
　前記主走査の方向に１つの記録素子で記録可能な前記記録媒体上の領域に対して記録すべき画像データを複数回の前記主走査に分けて
同じ色に対応した
　前記記録制御手段によって行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録装置。
　【請求項１４】　
同じ色に対応した
　前記記録媒体に対して前記記録ヘッドを主走査させる主走査工程と、
　前記主走査毎に前記記録ヘッドの記録素子の配列の範囲の幅より小なる量だけ前記記録ヘッドと前記記録媒体とを相対的に副走査させる副走査工程と、
　前記主走査の方向に１つの記録素子で記録可能な前記記録媒体上の領域に対して記録すべき画像データを複数回の前記主走査に分けて
同じ色に対応した
　前記記録制御工程で行われる前記領域に対する前記主走査の回数は、複数の異なる回数の中から設定されたいずれかの回数であり、
　前記設定された主走査の回数が多いほど１回の主走査で前記領域を記録する画像データの量を少なくすることを特徴とする画像記録方法。
【発明の詳細な説明】
　【０００１】
　【産業上の利用分野】
　本発明は画像記録方法及び装置及びその記録物及び加工品に関し、特に記録ヘッドを走査して記録媒体に画像を記録する画像記録方法及び装置及びその記録物及び加工品に関するものである。
　【０００２】
　【従来の技術】
　複数の記録要素（発熱抵抗体やノズル等）を備えた記録ヘッドを走査して記録を行う、所謂シリアルスキャン方式の画像記録装置がよく知られている。図２はこのようなシリアルスキャン方式による記録方法を示した図で、２０１はノズル２０２を複数配列したインクジェットヘッドを示しており、このインクジェットヘッド２０１が記録紙２０３上をＡ方向に走査しながら、このインクジェットヘッド２０１のノズル２０２の配列幅に応じた記録幅ｄずつ画像記録を行っている。こうして、記録幅ｄの記録が終了すると、記録紙２０３がＢ方向に記録幅ｄに応じた長さ分移動された後、再びインクジェットヘッド２０１がＡ方向に走査して記録幅ｄだけ画像記録を行う。このようなシリアルスキャン方式による記録では、小さいヘツドで大画面の画像データを記録できるという長所があるが、ヘッド２０１のノズルの内吐出しないノズルや、記録されたドット位置がずれるノズル等があると、その部分がＡ方向に連続して現れるため、連続した白スジが発生し易いという欠点がある。このような欠点を補うために後述するマルチスキャンによる記録方法が提案されている。
　【０００３】
　図３はこのようなマルチスキャンを説明するための図である。
　【０００４】
　インクジェットヘッド３０１は、１−１〜１−１２で示すように１２個のノズルを有し、これらのノズルはＸ，Ｙで示すように２つの部分に分割することができる。ここでＸ部分に相当するノズルを１−１〜１−６，Ｙ部分のノズルを１−７〜１−１２で表す。まず最初の走査で、インクジェットヘッド３０１のＸの部分による記録が行われ、記録紙２０３のＸ’で示す部分に記録する（この記録されたドットをＸ１〜Ｘ６で示す）。続いて記録紙２０３はｄだけＢ方向に副走査方向に移動され、ヘッド３０１のＹの部分を用いてドットＹ１〜Ｙ６（Ｙ’で示す部分）が記録される。このように記録することにより、同一のノズルを用いて記録されたドットがＡ方向に連続することがないため、例え記録するドット位置がずれるノズルがあっても、その記録されたドットがＡ方向に連続して現れることがないため、Ａ方向の白スジが目立ちにくくなるという利点がある。
　【０００５】
　又、インクの吐出量がノズル毎にバラつくことによる記録濃度ムラも、このように記録することにより相殺されて目立ちにくくなる。また更に、インクジェットヘッドの記録デューティが高い場合には、インクミストがオリフィス近傍に溜りインクの吐出を妨害する場合があるが、マルチスキャンを行った場合にはドットを間引くため、単位時間あたりのインク吐出回数が減少し、ミストの発生が抑えられるためミストによる不吐出も減少するという長所がある。
　【０００６】
　【発明が解決しようとする課題】
　しかし、前述したような２回のマルチスキャンだけでは、白スジ、濃度ムラ、ミストによるインクの吐出不良が防止できない画像もある。例えば均一のパターンを記録するような場合は、白スジ、濃度ムラが非常に目立ち易いため、前述したような２回のマルチスキャンだけでなく、３回或いは４回のマルチスキャンが必要な場合がある。
　【０００７】
　また、記録デューティの高い画像では、２回のマルチスキャンで記録デューティを１／２にするだけでは不十分で、３回或いは４回のマルチスキャンで記録デューティを１／３或いは１／４に低下させたほうが良い場合もある。
　【０００８】
　しかし、その一方では、マルチスキャンの回数を増やすと、それだけ記録時間が長くなるという問題もある。
　【０００９】
　本発明は上記従来例に鑑みてなされたもので、記録速度を不必要に低下させることなく、濃度ムラやミストの発生を低減させた画像記録方法及び装置及びその記録物及び加工品を提供することを目的とする。
　【００１０】
　【課題を解決するための手段】
　上記目的を達成するために本発明の画像記録装置は以下のような構成を備える。即ち、
　
同じ色に対応した
同じ色に対応した
　また上記目的を達成するために本発明の画像記録装置は以下のような構成を備える。即ち、
　
同じ色に対応した
同じ色に対応した
　また更に上記目的を達成するために本発明の画像記録装置は以下のような構成を備える。即ち、
　
同じ色に対応した
同じ色に対応した
　【００１１】
　上記目的を達成するために本発明の画像記録方法は以下のような工程を備える。即ち、
　
同じ色に対応した
同じ色に対応した
　また上記目的を達成するために本発明の画像記録方法は以下のような工程を備える。即ち、
　
同じ色に対応した
同じ色に対応した
　また上記目的を達成するために本発明の画像記録方法は以下のような工程を備える。即ち、
　
同じ色に対応した
同じ色に対応した
　【００１２】
　なお、本明細書において「記録」とは「捺染」の意味を含むものであり、広く布帛や紙等の被記録媒体に画像を付与することを言う。
　【００１３】
　【作用】
　以上の構成において、記録媒体に対して
同じ色に対応した
同じ色に対応した
　【００１４】
　【実施例】
　以下、添付図面を参照して本発明の好適な実施例を詳細に説明する。
　【００１５】
　図１は、本実施例のプリンタ装置の主要部の概略構成を示すブロック図で、図４はこの制御部１０１による制御処理を示すフローチャートである。
　【００１６】
　図１において、１０１はプリンタ装置全体を制御するための制御部で、例えばマイクロプロセッサ等のＣＰＵ１１０、図４のフローチャートで示されたＣＰＵ１１０の制御プログラムや各種データを記憶しているＲＯＭ１１１、及びＣＰＵ１１０のワークエリアとして使用され、各種データを一次的に保存するためのＲＡＭ１１２等を有している。
　【００１７】
　１０２は記録ヘッド（インクジェットヘッド）３０１を駆動するためのヘッドドライバ、１０３及び１０４はモータドライバで、制御部１０１の指示に従って、それぞれキャリッジモータ１０５、紙送り用モータ１０６を回転駆動している。１０７はユーザにより操作される設定スイッチで、マルチスキャンの回数が設定される。
　【００１８】
　ユーザは、これからプリントしようとする図柄のパターンを、図示しないモニタ画面或いは原稿の形で見る。この印刷しようとしている画像が、パターンが均一であり、ムラ、スジが目立ちやすいと判断した場合、或いは画像に高濃度部が多く、インクミストによる記録ヘッドのノズルの吐出不良が発生しやすいと判断した場合には、設定スイッチ１０７を操作してマルチスキャンの回数が多くなるように設定する。例えば、２回又は３回のマルチスキャンになるように設定した場合を説明する。
　【００１９】
　次に図４のフローチャートを参照して、本実施例のプリンタ装置による記録処理を説明する。
　【００２０】
　まずステップＳ１で設定スイッチ１０７に設定されているマルチスキャンの回数を読取り、ステップＳ２でその回数が例えば“２”か、“３”かをみる。尚、ここでは便宜上、マルチスキャンの回数が“２”か、“３”の場合で示すが、これ以外の数値であっても同様に達成できることはもちろんである。
　【００２１】
　設定された数が“３”の時はステップＳ３に進み、図３に示す記録ヘッド３０１のノズルを３つに分割する。例えば、３回のマルチスキャンを行なうときは、インクジェットヘッド３０１の１２個のノズルを、１−１〜１−４、１−５〜１−８、１−９〜１−１２の３つのグループに分割する。そしてステップＳ４で、ノズル１−１〜１−４を用いて画像データのうちＡ方向に対して１番目、４番目、７番目というように２つおきに記録する。この処理を１走査分の記録が終了するまで繰返し、１走査の記録が終了するとステップＳ６で、記録紙２０３をＢ方向に２ｄ／３だけ移動し、キャリッジをホーム位置に戻す、キャリッジリターンを行う。
　【００２２】
　次にステップＳ７に進み、次にノズルブロック１−５〜１−８を用いて、画像データのうちＡ方向に対して２番目、５番目、８番目というように２つおきに記録する。この時、前のノズルブロックでも記録を行う。そして、この２スキャン目の走査が終了するとステップＳ９に進み、記録紙２０３をＢ方向に２ｄ／３だけ移動して、キャリッジリターンを行った後、ステップＳ１０及びＳ１１でノズル１−９〜１−１２を用いて、画像データのうちＡ方向に対して３番目、６番目、９番目というように２つおきに記録する。この時も、前及び前の前のノズルブロックで記録を行う。
　【００２３】
　一方、ステップＳ２で設定数が“２”の時はステップＳ１２に進み、図３で示したようにノズル１−１〜１−６を用いて、画像データのうちＡ方向に１／２間引いたデータを１つおきに記録する。この１走査の記録が終了するとステップＳ１５に進み、記録紙２０３をＢ方向にｄだけ移動して、キャリッジリターンを行った後、ステップＳ１６及びＳ１７でノズル１−７〜１−１２を用いて、画像データのうちＡ方向に対して２番目、４番目、６番目というように１つおきに残りのデータを記録する。この時、前のノズルブロックでも記録を行う。
　【００２４】
　このようにして、設定スイッチ１０７で設定された数だけマルチスキャンされて画像データが記録される。
　【００２５】
　この設定スイッチ１０７により設定される回数は、記録しようとするパターンが、さらに均一性を必要としたり、ミストによる不吐出の可能性が高いときは、マルチスキャンの回数を多くするように設定される。このように、記録しようとするパターンに応じてマルチスキャンの回数をユーザが任意に設定できるようにしたため、パターンによらず、均一で不吐出のない良好な画像が得られるとともに、マルチスキャンの必要がないパターンではマルチスキャンを行なわないで記録できるため、不必要に記録時間が長くなることもない。
　【００２６】
　次に本発明の第２実施例を説明する。
　【００２７】
　図５は第２実施例の制御部１０１の処理を示すフロチャートである。
　【００２８】
　図５において、まずステップＳ２１で画像データが入力されるとステップＳ２２に進み、入力画像信号の均一性、信号レベルの高さを所定の方法で判別する。そして、均一性が高く、スジヤムラが目立ちやすいと判断したり、信号レベルの高さが高い、すなわち高濃度でミストによる不吐出が発生しやすいと判断した場合は、マルチスキャンの回数を増やすように設定値を設定する。一方、画像データの均一性がそれほど高くなく、信号レベルの高さもそれほど高くない場合にはマルチスキャンの回数を減らすように設定する。このように、画像データの均一性、信号レベルの高さに応じて最適なマルチスキャン回数を設定する。
　【００２９】
　尚、このマルチスキャンの回数の設定は、プリントを開始する前に全画像データから最適マルチスキャン回数を判断して設定し、その後は変更しない形式にしてもよいが、１〜数スキャン分の画像データから最適なマルチスキャン回数を判断し、その都度マルチスキャン回数を変更するようにしてもよい。
　【００３０】
　このような制御を行なうことにより、ユーザが画像データに基づいてマルチスキャンの回数を設定することなく、均一で吐出不良のない美しい画像を形成することができる。
＜第３の実施例＞
　次に、本発明の第３実施例を説明する。この第３実施例では、前述の第２実施例では、画像データに基づいてマルチスキャンの回数を設定する処理をプログラムで行っていたのに対し、制御部１０１に画像判定部を設けてハード的にマルチスキャンの回数を設定するものである。
　【００３１】
　図６は画像判別部の内部構成を示すブロック図である。
　【００３２】
　３０１は入力した画像データを示し、５０１はその画像データ３０１のエッジ部を検出するエッジ検出回路である。５０２は、エッジ検出回路５０１より出力されるエッジ信号、５０３は閾値回路で、エッジ信号５０２を入力し、その信号レベルを判定している。５０５はカウンタで、閾値回路５０３で２値化されたエッジ信号５０４の数を計数している。５０７は加算回路、５０９はＲＯＭ、３２１はマルチスキャンの回数を設定する設定値である。
　【００３３】
　エッジ検出回路５０１は周知の微分フィルタ回路等を備えており、画像データ３０１のエッジ部分を検出して、エッジ信号５０２を出力している。閾値回路５０３はエッジ信号５０２の絶対値が所定値Ｔ以上であるときに“１”を、Ｔ未満である時に“０”を出力して、エッジ信号５０２を２値化している。カウンタ５０５は２値化されたエッジ信号５０４を入力してデータが“１”である数を計数し、その総和を出力している。又、加算回路５０７は画像データ３０１を全て加算し、その結果を出力している。カウンタ５０５より出力される総和値５０６と加算回路５０７による加算信号５０８は共にＲＯＭ５０９のアドレスに入力される。ＲＯＭ５０９は、それぞれの信号の組み合わせに応じて設定値３２１を出力する。即ち、制御信号をｆ，カウンタ信号５０６をＣ、加算信号５０８をＤとすると、
　　ｆ＝Ｆ（Ｃ，Ｄ）
という関数になる。
　【００３４】
　本実施例では、カウンタ信号５０６及び加算信号５０８のそれぞれを大、中、小に分け、表１に示すように、その組み合わせに応じて設定値３２１を決定する。
　【００３５】
　【表１】
　尚、このような大、中、小を決定するための閾値は予め実験で最適な値を求めておけば良い。
　【００３６】
　カウンタ信号５０６が大きい時には、画像データ３０１はエッジ部が多く、均一である部分が少ないと判断してマルチスキャン回数を少なくする。又、加算信号値５０８が小さい時には、記録ヘッドの記録デューティが低く、ミストによるインク吐出不良の発生の危険が少ないと考えられるため、マルチスキャン回数を少なくする。
　【００３７】
　また、図７に示すように、ＣＣＤセンサ３５０により、記録紙２０３上に記録された画像データを読取り、その読取信号に基づいて画像データを判定してマルチスキャンの回数を決定するようにしても良い。図７のＣＣＤセンサ３５０はインクジェットヘッド３０１と同じ速度でヘッド３０１の後から走査しており、インクジェットヘッド３０１で記録された画像を読み取っている。このセンサ３５０で読み取った信号は前述図の画像データ３０１の代わりに判別回路に入力され、画像データ３０１の場合と同様にしてマルチスキャン回数が決定される。
　【００３８】
　尚、前述の実施例では、１画素を１ドットで構成する場合について説明したが、１画素を複数ドットで構成し、そのドット数に応じた階調で多値記録を行なう場合にも本発明は実施できる。その場合は、例えば図３において、Ｘ１，Ｙ１の２つのドットで１画素を構成し、３値の画像形成を行なうことにより実現できる。この場合には、Ｘ１、Ｙ１のドット間隔をより小さくすることが望ましいが、他の構成は、前述実施例と同様である。
　【００３９】
　また、本発明は、記録紙に記録する場合だけでなく、例えば布やフィルム等に記録する場合にも適用できる。一例として、布にインクジェット記録を行なう場合のシステム構成を説明する。
　【００４０】
　図８は本発明に係るインクジェット記録装置の基本構成の一例を示すブロック図である。このインクジェット記録装置は、システムとして構成され、大別して、デザイナーなどが作成した原画を読み取り、この原画像を電気信号で表される原画データに変換する画像読み取り装置１、画像読み取り装置１からの原画データを取り込んで加工してイメージデータとして出力する画像処理部２、画像処理部２で作成されたイメージデータに基づき、布帛等の記録媒体上に記録を行う画像記録部３とを備えている。画像読み取り装置１では、ＣＣＤイメージセンサにより原画像が読み取られる。画像処理部２では、入力された原画データから、後述するマゼンタ（略号Ｍ）、シアン（略号Ｃ）、イエロー（略号Ｙ）、ブラック（略号Ｂｋ）の４色のインクを吐出するインクジェット記録部Ａ−２（図９）を駆動するためのデータを作成する。このデータの作成の際には、原画像をインクのドットで再現するための画像処理、色調を決定する配色、レイアウトの変更、拡大、縮小等の図柄の大きさの加工、選択がなされる。画像記録部３では、インクジェット記録部Ａ−２により記録が行われる。このインクジェット記録部Ａ−２は、微小のインク滴を記録媒体である紙や布帛、ビニールシート等に向けて飛翔させ、このインク滴を記録媒体に付着させることにより記録を行うものである。
　【００４１】
　図１１は、本発明において使用されるインクジェット記録装置の一例の画像記録部（例えば、図９の第１のプリント部３１）を示す斜視図である。なお、図９または図１０のように上下２段に配置されたプリント部の基本構成は同じであるため、ここでは一方のみを示している。
　【００４２】
　まず、この第１のプリント部３１は大別して、フレーム枠９０６、２本のガイドレール９０７及び９０８、インクジェットヘッド（記録ヘッド）９とその移動用キャリッジ９１０、インク供給装置９１１とその移動用キャリッジ９１２、ヘッド回復装置９１３及び電装系とを備えて構成される。これら２つの移動用キャリッジ９１０，９１２は図９のキャリッジ４４として示されている。記録ヘッド９は、複数のノズル列と電気信号をインク吐出エネルギーに変換するための変換装置とを含み、画像処理部（図示せず）から送られてきた画像信号に応じてノズル列から選択的にインクを吐出させる機能を持つ。
　【００４３】
　この記録ヘッド９は、熱エネルギーを利用してインクを吐出する記録ヘッドであって、インクに与える熱エネルギーを発生するための熱エネルギー変換体を備えており、前記熱エネルギー変換体によって印加される熱エネルギーによりインクに状態変化を生起させ、該状態変化に基づいて吐出口よりインクを吐出させるヘッドが好ましく使用される。
　【００４４】
　インク供給装置９１１は、インクを貯留し、記録ヘッド９にインクを必要量供給するためのものであり、不図示のインクタンクやインクポンプなどを有する。本体と記録ヘッド９とはインク供給チューブ９１５で接続され、通常は毛細管作用により、記録ヘッド９から吐出された分だけ自動的にインクが記録ヘッド９に供給される。また、後述するようなヘッド回復動作の時には、インクポンプを用いて強制的にインクが記録ヘッド９に供給される。
　【００４５】
　この記録ヘッド９及びインク供給装置９１１は、それぞれキャリッジ９１０、キャリッジ９１２に搭載され、不図示の駆動装置によりガイドレール９０７，９０８に沿って往復移動を行うように構成されている。
　【００４６】
　ヘッド回復装置９１３は、記録ヘッド９のインク吐出安定性を維持するために記録ヘッド９のホームポジション（待機位置）において記録ヘッド９に対向し得る位置に設けられており、矢印Ａ方向に前進後退可能であり、具体的には次に述べるような動作を行う。
　【００４７】
　まず、非動作時に記録ヘッド９のノズル内からのインクの蒸発を防ぐためにホームポジションにおいて記録ヘッド９のキャッピングを行う（キャッピング動作）、あるいは画像記録開始前にノズル内の気泡やゴミなどを排出するためにインクポンプを用いてヘッド内のインク流路を加圧してノズルから強制的にインクを排出するといった動作（加圧回復動作）またはノズルからインクを強制的に吸引排出する動作（吸引回復動作）を行う際に排出されたインクを回収する等の機能を果たす。
　【００４８】
　電送系は、電源部及びインクジェット記録部全体のシーケンス制御を行うための制御部を含む。布帛３６は記録ヘッド９がキャリッジ９１０に沿って主走査方向に移動して所定長の記録が行われる毎に不図示の搬送装置により副走査方向（矢印Ｂ方向）に所定量搬送され、画像形成が行われていく。図１１において、斜線部は記録が終了した部分を示す。
　【００４９】
　なお、記録記録ヘッド９としては、単色記録用のインクジェット記録ヘッド、カラー記録用の異なる色のインクで記録する複数の記録ヘッド、あるいは同一色彩で濃度の異なる濃淡インクで記録する複数の記録ヘッドなどを用いることができる。
　【００５０】
　また、記録ヘッドとインクタンクを一体化したカートリッジタイプのもの、あるいは記録ヘッドとインクタンクを別体としこれらをインク供給チューブで接続する構成のものなど、記録手段及びインクタンクの構成を問わず適用することができる。
　【００５１】
　更に、以下の態様の記録装置において本発明を実施することにより、吸水性が極めて低い記録媒体においても高品質な画像を得ることができる。図９は、特に本発明方法に好ましい記録装置の概要を示す模式図である。この記録装置は、大きく分けて、捺染用の前処理を施されたロール状の布帛等の記録媒体を送り出す給布部Ｂと、送られてきた布帛を精密に行送りして、インクジェットヘッドでプリントを行う本体部と、プリントされた布帛を乾燥させ巻取る巻取り部Ｃとからなる。そして、本体部Ａは更にプラテンを含む布帛の精密送り部Ａ−１とプリントユニットＡ−２とからなる。図１０は、プリントユニットＡ−２の構成の詳細を示す斜視図である。
　【００５２】
　以下、記録媒体として前処理された布帛を用い捺染を実施する場合を例にとってこの装置の動作を説明する。
　【００５３】
　前処理されたロール状の布帛３６は給布部の方に送り出され、本体部Ａに送られる。本体部には精密にステップ駆動される薄い無端のベルト３７が駆動ローラ４７、巻回ローラ４９に架け回されている。駆動ローラ４７は、高分解能のステッピングモータ（図示せず）でダイレクトにステップ駆動されてそのステップ量だけベルト３７をステップ送りする。送られてきた布帛３６は巻回ローラ４９によってバックアップされたベルト３７の表面に、押付けローラ４０によって押し付けられ、張り付けられる。
　【００５４】
　ベルト３７によってステップ送りをされてきた布帛３６は、第１のプリント部３１において、ベルト背面のプラテン３２によって定位され表側から記録ヘッド９によってプリントされる。１行のプリントが終るごとに、所定量ステップ送りされ、次いでベルト３７の背面からの加熱プレート３４による加熱と、温風ダクト３５によって供給／排出される、表面からの温風によって乾燥される。続いて第２のプリント部３１’において、記録ヘッド９’を用いて第１のプリント部３１と同様な方法で重ねプリントがなされる。
　【００５５】
　プリントを終った布帛はベルト３７より引き剥されて加熱プレートと温風ダクトと同様な後乾燥部４６で再度乾燥され、ガイドロール４１に導かれて巻取りロール４８に巻取られる。そして、巻取りロール３９に巻取られた布帛は本装置から取り外され、バッチ処理で発色、洗浄、乾燥後の後処理工程を経て製品となる。
　【００５６】
　次にプリントユニットＡ−２の詳細について図１０を参照して説明する。
　【００５７】
　ここでの好ましい態様は、第１プリント部３１の記録ヘッド９により、ドット数を間引いて情報を記録し、乾燥工程を経て、第２プリント部３１’の記録ヘッド９’により、第１プリント部３１で間引かれた情報を補完するようにインク滴を吐出するものである。
　【００５８】
　図１０において、記録媒体である布帛３６はベルト３７に貼り付けられて図中、上方向にステップ送りされる。図中、下方の第１のプリント部３１にはＹ，Ｍ，Ｃ，Ｂｋのほか、特色Ｓ１〜Ｓ４用のインクジェットヘッドを搭載した第１のキャリッジ４４がある。本例におけるインクジェットヘッド（記録ヘッド）９，９’は、インクを吐出するために利用されるエネルギーとして、インクに膜沸騰を生じさせる熱エネルギーを発生する発熱素子を有するものを用いてあり、また４００ｄｐｉ（ドット／インチ）の密度で１２８個の吐出口を配列したものを用いている。
　【００５９】
　第１のプリント部３１の下流側にはベルトの背面から加熱する加熱プレート３４と、表側から乾燥させる温風ダクト３５とからなる乾燥部４５が設けられている。加熱プレート３４の熱伝達面は、強くテンションをかけられた無端ベルト３７に押し当てられ、中空になっている内側を通してある高温高圧の蒸気によって、ベルト３７を背面から強力に加熱する。加熱プレート面の内側は集熱のためのフィン３４’が設けられていて熱を効率的にベルト３７の背面に集中できるようにしてある。ベルト３７に接しない側は断熱材４３でカバーしてあり、放熱による熱損失を防いでいる。
　【００６０】
　表側では下流側の供給ダクト３０から乾燥温風を吹き付けることによって、乾燥しつつある布帛に、より湿度の低い空気を当てて効果を高めるようにしている。そして布帛の搬送方向とは逆に流れて充分に水分を含んだ空気は、上流側の吸引ダクト３３から、吹き付けの量よりもはるかに多量の吸引をすることによって、蒸発水分が漏れて周囲の機構装置に結露しないようにしてある。温風の供給源は図１０の奥側にあり、吸引は手前側から行うようになっていて、布帛３６に対向している吹き出し口３８と吸引口３９との圧力差が長手方向全域にわたって均一になるようにしてある。空気の吹き付け／吸引部は背面の加熱プレートの中心に対して下流側にオフセットされており、充分に加熱された所に空気が当るようにしてある。これらによって第１のプリント部３１が布帛が受容した、薄め液も含むインク中の多量の水分を強力に乾燥させる。
　【００６１】
　その下流（上方）には第２のプリント部３１’があり、第１のキャリッジ４４と同様の構成の第２キャリッジ４４’で第２のプリント部３１’を形成している。
　【００６２】
　次に、インクジェット捺染記録方法の好適な例を説明する。布帛３６はインクジェット印捺工程を経た後、乾燥（自然乾燥を含む）される。そして、引き続き布帛繊維上の染料を拡散させ、かつ繊維への染料を反応定着させる工程を施す。この工程により、十分な発色性と染料の固着による堅牢性を得ることができる。この拡散、反応定着工程は従来公知の方法でよく、例えば、スチーミング法が挙げられる。なお、この場合、印捺工程の前に、予め布帛にアルカリ処理を施しても良い。
　【００６３】
　その後、後処理工程において、未反応の染料の除去及び前処理に用いた物質の除去が行われる。最後に、欠陥補正、アイロンし上げ等の整理仕上げ工程を経て記録が完成する。
　【００６４】
　記録媒体としては、布帛、壁紙、紙、ＯＨＰ用シート等が挙げられる。特に布帛、壁紙等のような、低汲水性の記録媒体に対して本発明は好適である。尚、本発明において、布帛とは素材、織り方、編み方を問わず、一切の織物、不織布及びその他の布地を含むものとする。また、本明細書において壁紙とは、紙、布地、或いはポリ塩化ビニル等の合成樹脂シートを素材とする壁用貼付け材を含むものとする。
　【００６５】
　特に、インクジェット捺染用布帛としては、
（１）インクを充分な濃度に発色させ得ること。
（２）インクの染着率が高いこと。
（３）インクが布帛上で速やかに乾燥すること。
（４）布帛上での不規則なインクの滲みの発生が少ないこと。
（５）装置内での搬送性に優れていること。
等の性能が要求される。これら要求性能を満足させるために、必要に応じて布帛に対し、予め前処理を施しておくことができる。例えば、特開昭６２−５３４９２号公報においてはインク受容層を有する布帛類が開示され、また特公平３−４６５８９号公報においては還元防止剤やアルカリ性物質を含有させた布帛の提案がなされている。このような前処理の例としては、布帛に、アルカリ性物質、水溶性高分子、合成高分子、水溶性金属塩、尿素及びチオ尿素から選ばれる物質を含有させる処理を挙げることができる。
　【００６６】
　アルカリ性物質としては、例えば、水酸化ナトリウム、水酸化カリウム等の水酸化アルカリ金属、モノ、ジ、トリエタノールアミン等のアミン類、炭酸ナトリウム、炭酸カリウム、重炭酸ナトリウム等の炭酸もしくは重炭酸アルカリ金属塩等が挙げられる。さらに酢酸カルシウム、酢酸バリウム等の有機酸金属塩やアンモニア及びアンモニア化合物等がある。また、スチーミング及び乾燥下でアルカリ物質となるトリクロロ酢酸ナトリウム等も用い得る。特に好ましいアルカリ性物質としては、反応性染料に染色に用いられる炭酸ナトリウム及び重炭酸ナトリウムがある。
　【００６７】
　水溶性高分子としては、トウモロコシ、小麦等のデンプン物質、カルボキシメチルセルロース、メチルセルロース、ヒドロキシエチルセルロース等のセルロース系物質、アルギン酸ナトリウム、アラビアゴム、ローカスイトビーンガム、トラガントガム、グアガム、タマリンド種子等の多糖性、ゼラチン、カゼイン等の蛋白質物質、タンニン系物質、リグニン系物質等の天然水溶性高分子が挙げられる。
　【００６８】
　また、合成高分子としては、例えば、ポリビニルアルコール系化合物、ポリエチレンオキサイゾ系化合物、アクリル酸系水溶性高分子、無水マレイン酸系水溶性高分子等が挙げられる。これらの中でも多糖類系高分子やセルロース系高分子が好ましい。
　【００６９】
　水溶性金属塩としては、例えば、アルカリ金属、アルカリ土類金属のハロゲン化物のように、典型的なイオン結晶を作るものであって、ｐＨ４〜１０である化合物が挙げられる。かかる化合物の代表的な例としては、例えば、アルカリ金属では、ＮａＣｌ，Ｎａ２ＳＯ４，ＫＣｌ及びＣＨ３ＣＯＯＮａ等が挙げられ、また、アルカリ土類金属としては、ＣａＣｌ２及びＭｇＣｌ２等が挙げられる。中でもＮａ，Ｋ及びＣａの塩類が好ましい。
　【００７０】
　前処理において上記物質等を布帛に含有させる方法は、特に制限されないが、通常行われる浸漬法、バッド法、コーティング法、スプレー法などを挙げることができる。
　【００７１】
　さらに、インクジェット捺染用布用に付与される捺染インクは、布帛上に付与した状態では単に付着しているに過ぎないので、引き続き繊維への染料の反応定着工程（染着工程）を施すのが好ましい。このような反応定着工程は、従来公知の方法で良く、例えば、スチーミング法、ＨＴスチーミング法、サーモフィックス法、あらかじめアルカリ処理した布帛を用いない場合は、アルカリパッドスチーム法、アルカリブロッチスチーム法、アルカリショック法、アルカリコールドフィックス法等が挙げられる。
　【００７２】
　さらに未反応の染料の除去及び前処理に用いた物質の除去は、上記反応定着工程の後に従来公知の方法に準じ、洗浄により行うことができる。尚、この洗浄の際に、従来のフィックス処理を併用することが好ましい。
　【００７３】
　図１２はシーケンシャル・マルチスキャンにより記録される記録データを説明するための図である。
　【００７４】
　図１２において、点線で囲まれた各矩形領域が１ドット（画素）に対応し、例えば記録密度が４００ｄｐｉ（ドット／インチ）の場合は、各矩形の面積は約（６３．５μｍ）２となる。黒いまるで示された部分がドットが打たれた場所で、黒丸が存在していない箇所が記録が行われない部分を示している。インクジェットヘッド（記録ヘッド）が矢示Ｆ方向に移動し、インク吐出用ノズルより所定のタイミングでインクが吐出される。このシーケンシャル・マルチスキャンは、各ノズルの吐出するインク滴の大きさのばらつきや、インク吐出方向のばらつきによって生ずる各ノズル間の濃度ばらつきを補正するために行われ、同一のライン（ヘッド移動方向）を複数のノズルで記録する。このように複数個のノズルで１つのラインを形成することにより、各記録ヘッドのノズル特性のランダム性を利用し、濃度ムラの低減を図っている。即ち、２度スキャンによるシーケンシャル・マルチスキャンの場合、１回目の走査で記録ヘッドの上半分を用いて記録を行い、２回目の走査では記録ヘッドの下半分のノズルを用いて記録を行う。
　【００７５】
　このシーケンシャル・マルチスキャンによる記録例を示したのが図１３と図１４である。
　【００７６】
　いま、例えば図１２に示したデータを記録する場合には、まず図１３に示すように、記録ヘッドの移動方向に発生するデータの奇数番目の記録データのみを、記録ヘッドの上半分のノズルで記録する。次に、記録ヘッド（キャリッジ）がホーム位置方向に戻され、布帛が記録ヘッドの幅の半分だけ送られて、図１４に示すように今度は記録ヘッドの移動方向の偶数番目のドットを記録ヘッドの下半分のノズルを用いて記録する。こうして２度のスキャンにより図１２に示すようなデータが布帛３６上に記録される。
　【００７７】
　図１５は通常の２回マルチスキャンでの印刷例を示している。第１のプリント部３１の記録ヘッド９で印刷したエリアを（下１）７０１，（下２）７０２，（下３）７０３で示し、第２のプリント部３１’の記録ヘッド９’で印刷したエリアを（上１）７０４，（上２）７０５，（上３）７０６で示す。
　【００７８】
　布帛送り方向は図示矢印の通りであり、布帛３６の１回のステップ送り量は、記録ヘッド９，９’の記録幅に対応している。図１５から明らかなように、記録された領域の全ては、第２のプリント部３１’の記録ヘッド９’の上半分と第１のプリント部３１の記録ヘッド９の下半分か、第２のプリント部３１’の記録ヘッド９’の下半分と第１のプリント部３１の記録ヘッド９の上半分とを用いて記録されている。ここで、各記録ヘッドで記録されるデータは、前述の図１３及び図１４に示すように間引かれており、これら２つの記録ヘッド９，９’で重ね合わせて記録された結果、７０７で示す印刷濃度が得られる。
　【００７９】
　なお、以上の実施例において、記録ヘッドは一体のもので、ノズル群を分割して使用するものについて説明したが、別々のヘッドでマルチスキャンを行うものであってもよい。また、別々のヘッドの場合、副走査方向に副走査送り幅の整数倍だけ離して配置してもよい。
　【００８０】
　本発明は、特にインクジェット記録方式の中でも熱エネルギーを利用して飛翔的液滴を形成し、記録を行うインクジェット方式のインクジェット記録装置において優れた効果をもたらすものである。
　【００８１】
　その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、インクジェットヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
　【００８２】
　このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、優れた記録を行うことができる。
　【００８３】
　インクジェットヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成としても良い。
　【００８４】
　加えて、複数の電気熱変換体に対して、共通するスリットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成とすることもできる。
　【００８５】
　さらに、記録装置が記録できる最大記録媒体の幅に対応した長さを有するフルラインタイプのインクジェットヘッドとしては、上述した明細書に開示されているような複数記録ヘッドの組み合わせによってその長さを満たす構成や、一体的に形成された１個のインクジェットヘッドとしての構成のいずれでもよい。
　【００８６】
　加えて、装置本体に装着されることで、装置本体との電気的な接続や装置本体からのインクの供給が可能になる交換自在のチップタイプのインクジェットヘッド、あるいはインクジェットヘッド自体に一体的にインクタンクが設けられたカートリッジタイプのインクジェットヘッドを用いてもよい。
　【００８７】
　また、本発明の記録装置の構成として設けられる、インクジェットヘッドに対しての回復手段、予備的な補助手段等を付加することは本発明の効果を一層安定にできるので好ましいものである。これらを具体的に挙げれば、インクジェットヘッドに対してのキャッピング手段、クリーニング手段、加圧あるいは吸引手段、電気熱変換体あるいはこれとは別の加熱素子あるいはこれらの組み合わせによる予備加熱手段記録とは別の吐出を行う予備吐出モードを行うことも安定した記録を行うために有効である。
　【００８８】
　さらに、記録装置の記録モードとしては黒色等の主流色のみの記録モードだけではなく、インクジェットヘッドを一体的に構成するか複数個の組み合わせによってでも良いが、異なる色の複色カラー、または混色によるフルカラーの少なくとも１つを備えた装置とすることもできる。
　【００８９】
　以上説明した本発明実施例においては、インクを液体として説明しているが、室温やそれ以下で固化するインクであって、室温で軟化するもの、もしくは液体であるもの、あるいは上述のインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
　【００９０】
　加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや、記録媒体に到達する時点では既に固化し始めるもの等のような、熱エネルギーによって初めて液化する性質のインクの使用も本発明には適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
　【００９１】
　さらに加えて、本発明に係る記録装置の形態としては、上述のようなワードプロセッサやコンピュータ等の情報処理機器の画像出力端末として一体または別体に設けられるものの他、リーダ等と組み合わせた複写装置、さらには送受信機能を有するファクシミリ装置の形態を取るものであっても良い。
　【００９２】
　また、布に記録する例で示したように、カラー画像記録の場合には、各色ごとに上述実施例を実施すればよい。
　【００９３】
　なお、以上述べた後処理工程が施された記録物は、その後、所望の大きさに切り離され、切り離された片は縫着、接着、溶着等、最終的な加工品を得るための工程が施され、ワンピース、ドレス、ネクタイ、水着等の衣類やふとんカバー、ソファカバー、ハンカチ、カーテン等が得られる。布帛を縫製等により加工して衣類やその他の日用品とする方法は、例えば「最新ニット縫製マニュアル」：センイジャーナル社発行や月刊誌「装宛」：文化出版局発行等、公知の書籍に多数記載されている。
　【００９４】
　尚、本発明は複数の機器から構成されるシステムに適用しても、１つの機器からなる装置に適用しても良い。また、本発明はシステム或は装置に、本発明を実施するプログラムを供給することによって達成される場合にも適用できることはいうまでもない。
　【００９５】
　以上説明したように本実施例によれば、マルチスキャンの回数を変更可能とすることにより、不必要に記録速度を低下させることなく、画像ムラや白スジ、インク吐出不良のない美しい画像が安定して得られるようになった。
　【００９６】
　【発明の効果】
　以上説明したように本発明によれば、記録速度を不必要に低下させることなく、濃度ムラやミストの発生を低減させることができるという効果がある。
【図面の簡単な説明】
　【図１】
　本発明の第１の実施例のプリンタ装置の主要部の概略構成を示すブロック図である。
　【図２】
　従来の逐次記録型のインクジェットヘッドによる記録状態を示す図である。
　【図３】
　一般的なマルチスキャンによる記録方式を説明するための図である。
　【図４】
　本発明の第１実施例のプリンタ装置における制御処理を示すフローチャートである。
　【図５】
　本発明の第２実施例の処理を示すフローチャートである。
　【図６】
　本発明の第３の実施例の画像判別部の構成を示すブロック図である。
　【図７】
　本発明の他の実施例のマルチスキャンを説明するための図である。
　【図８】
　本発明の実施例のインクジェット記録装置の基本構成の一例を示すブロック図である。
　【図９】
　本発明の実施例のインクジェット記録装置の基本構成を示す構造断面図である。
　【図１０】
　本実施例のインクジェット記録装置の画像記録部を示す斜視図である。
　【図１１】
　本実施例のインクジェット記録装置の第１或いは第２記録部の構成を示す斜視図である。
　【図１２】
　本実施例の捺染装置における記録例を示す図である。
　【図１３】
　本実施例の捺染装置における間引き記録処理を説明するための図である。
　【図１４】
　本実施例の捺染装置における間引き記録処理を説明するための図である。
　【図１５】
　本実施例の捺染装置における通常濃度での記録動作を説明するための図である。
　【符号の説明】
　１０１　制御部
　１０２　ヘッドドライバ
　１０５　キャリッジモータ
　１０７　設定スイッチ
　９，９’，３０１　ヘッド
　５０１　エッジ検出回路
　５０３　閾値回路
　５０５　カウンタ
　５０７　加算回路
　５０９　ＲＯＭ
　９０１　インクジェット記録部